(57)【要約】【課題】  単一方向ラチェットレンチにあって、ほとんど回転抵抗の無い段階のボルトやナットの締め付けや緩め作業を迅速に行ない得るようにする。【解決手段】  本体ヘッド部に、回転自在に嵌合したソケットを取り付け、前記ソケットに形成したギアにハンドルもしくは、レバー棒の先端部に設けた突部を係脱自在に揺動することで前記ソケットの回転方向を制御し得るように構成したラチェットレンチで、回転方向により、係合部がソケットの回転を制御しない位置まで離れることを特徴とする。【選択図】  図１
2009095946.tif 000002
【特許請求の範囲】
【請求項１】
ヘッド部とハンドル部とから構成されるレンチ本体に、前記ヘッド部に回転自在にソケットが嵌合しており、前記ハンドル部が前記ヘッド部に対して揺動自由に軸支したラチェットレンチであって、前記ソケットの外周にはギア部が形成されており、前記ハンドル部は、その先端部が前記ソケット外周のギア部に対して付勢手段により常に離れる方向に付勢されていて、被回転対象物を回転させる際には前記付勢手段の付勢力に対して前記ハンドル部を回動操作することで前記ソケット外周の前記ギア部と係合しながら螺動することを特徴とするラチェットレンチ。
【請求項２】
ヘッド部とレバー部とから構成されるレンチ本体に、前記ヘッド部に回転自在に嵌合したソケットと、前記レンチ本体の前記ヘッド部と握持部の間で揺動自由に軸支したレバー棒を備えたラチェットレンチであって、前記ソケットの外周にはギア部が形成されており、前記レバー棒は、その先端部が前記ソケット外周のギア部に対して付勢手段により常に離れる方向に付勢されていて、被回転対象物を回転させる際には前記付勢手段の付勢力に対して前記レバー棒を握持部で押動操作することで前記ソケット外周の前記ギア部と係合しながら螺動することを特徴とするラチェットレンチ。
【請求項３】
請求項１及び請求項２のレンチにおいて、レンチ本体の回転面に対して、表裏の色を変えたことを特徴とするラチェットレンチ。
【請求項４】
請求項１及び請求項２のレンチにおいて、レンチ本体の握時部側の一端を先曲がりシノとし、回転面に対してトルクを加える側に曲がっていることを特徴とするラチェットレンチ。
【発明の詳細な説明】
【技術分野】
【０００１】
本発明は、一種の単一方向スパナの係合構造の技術分野に属する。
【背景技術】
【０００２】
一般的な単一方向ラチェットレンチの係合構造はレンチ本体の一端に、収容室を設置し、前記収容室下方の適当な位置に方向制御槽を開設し、収容室には、ソケットを収容し、方向制御装置は前記方向制御槽内に設置され、方向制御部品、弾力体により構成され、前記方向制御部品は前記ソケット上に形成されたギアに係合固定され前期レンチ本体を回動する時には、回動方向の違いに応じて、前期ソケットに対して反対の応力が加わり、その応力がある方向への力である時、係合固定され前記レンチ本体と共に回転動し、その応力が反対方向への力である時、前記方向制御部品は水平移動の力を受け、前記弾力体を押し固定し、前記ソケットは、前記レンチ本体に相対し回転動するものである。
【特許文献１】特開２００５−２９７１２３号公報
【発明の開示】
【発明が解決しようとする課題】
【０００３】
そのために次のような問題点があった。
このような構成のラチェットレンチは、ソケットをレンチ本体に相対し回転動する場合においても、弾力体の付勢された制御部品の歯車が前期ソケットのギア部に嵌りこんだ状態となり、回転抵抗のほとんど無い被回転対象物に対しては、前期ソケットのラチェット機能が働かない構成となっているのである。
本発明は、以上の問題点を解決するためになされたものである。
【課題を解決するための手段】
【０００４】
請求項1のラチェットレンチは、ヘッド部とハンドル部とから構成されるレンチ本体に、前記ヘッド部に回転自在にソケットが嵌合しており、前記ハンドル部が前記ヘッド部に対して揺動自由に軸支したラチェットレンチであって、前記ソケットの外周にはギア部が形成されており、前記ハンドル部は、その先端部が前記ソケット外周のギア部に対して付勢手段により常に離れる方向に付勢されていて、被回転対象物を回転させる際には前記付勢手段の付勢力に対して前記ハンドル部を回動操作することで前記ソケット外周の前記ギア部と係合しながら螺動することを特徴とするラチェットレンチである。
本発明の請求項１は以上の構成よりなる単一方向ラチェットレンチである。
【０００５】
請求項２のラチェットレンチは、ヘッド部とレバー部とから構成されるレンチ本体に、前記ヘッド部に回転自在に嵌合したソケットと、前記レンチ本体の前記ヘッド部と握持部の間で揺動自由に軸支したレバー棒を備えたラチェットレンチであって、前記ソケットの外周にはギア部が形成されており、前記レバー棒は、その先端部が前記ソケット外周のギア部に対して付勢手段により常に離れる方向に付勢されていて、被回転対象物を回転させる際には前記付勢手段の付勢力に対して前記レバー棒を握持部で押動操作することで前記ソケット外周の前記ギア部と係合しながら螺動することを特徴とするラチェットレンチである。
本発明の請求項２は以上の構成よりなる単一方向ラチェットレンチである。
【発明の効果】
【０００６】
従来のような構成のラチェットレンチを使用した場合、ボルトやナットの回転抵抗のほとんどない段階ではボルトやナットを指先で廻し、ラチェット機構が作動するだけの抵抗が生じた段階でラチェットレンチを使用して締め付け作業を行わなければならず、その都度、ラチェットレンチを手で持ち変えたり、腰ベルトに納めたり、取り出したりしなければならず、また、その際に、ラチェットレンチを落下させたりする危険性があったが、本発明のラチェットレンチは終始、ボルトやナットにラチェットレンチを装着したまま片手で作業ができ、作業効率の向上を図り得る。また、持ち変えや、腰ベルトへの出し入れの際に伴う落下の危険性を防止し得るという利点がある。
【発明を実施するための最良の形態】
【０００７】
図１は、請求項１の場合で、本体ヘッド部（１）とハンドル部（４）とから構成されるレンチ本体において、前記ハンドル部（４）が、前記ヘッド部（１）に回転自在に嵌合したソケット（２）と握持部（１４）との間で、揺動自由になるよう支点ピン（５）で枢着されている。前記ハンドル部（４）は、前記支点ピン（５）の前記握持部（１４）と前記支点ピン（５）から前記ヘッド部（１）側に前記ソケット（２）外周に形成したギア部（３）に係合するところまで先端部（１３）が伸びている。前記ヘッド部（１）の側面には、前記ハンドル部（４）の前期先端部（１３）が前記ギア部（３）に対して係合を妨げるように前記ハンドル部（４）に向けて空けられた貫通孔（６）に、硬球（７）、弾性体（８）、固定ネジ（９）よりなる付勢機構（１０）で、前記ハンドル部（４）に付勢している。
請求項１の発明は以上のような構造でこれを使用するときは前記ソケット（２）に被回転対象物を装着し前記ハンドル部（４）を回動する際、前記ハンドル部（４）は前記付勢機構に逆らって前記ソケット（２）の前記ギア部（３）に係合する。回動方向に力が加わっている間は、前記ソケット（２）の前記ギア部（３）と前記ハンドル部（４）の先端部（１３）には回転動を規制するよう応力が働いているため一度係合すると回動方向の力がかからなくなるまでは、回転方向を規制し続ける。また、反対方向に回動する際は、係合部が離れ、前記ソケット（２）の回転を規制する力はなくなるため、前記ソケット（２）は回動方向に相対しほとんど抵抗なく回転動するものである。
【０００８】
図３は、請求項２の場合で、本体ヘッド部（２１）とレバー部（２４）とから構成されるレンチ本体に、レバー棒（３３）が、前記ヘッド部（２１）に回転自在に嵌合したソケット（２２）と握持部（３６）との間に設けられたレバー挿入孔（３４）内で、揺動自由になるよう支点ピン（２５）で枢着されている。前記レバー棒（３３）は、前記支点ピン（２５）から前記ヘッド部（２１）側に前記ソケット（２２）外周に形成したギア部（２３）に係合するところまで先端部（３５）が伸びている。前記ヘッド部（２１）の側面には、前記レバー棒（３３）が前記ギア部（２３）に対して係合を妨げるよう前記レバー棒（３３）に向けて空けられた、貫通孔（２６）に硬球（２７）、弾性体（２８）、固定ネジ（２９）よりなる付勢機構（３０）で、前記レバー棒（３３）に付勢している。また、付勢力により、前記レバー棒（３３）は、前記握持部（３６）において押動操作できるよう前記握持部（３６）から突出している。
請求項２の発明は以上のような構造でこれを使用するときは、前記ソケット（２２）に被回転対象物を装着し前記レバー部（３３）を前記レンチ本体のレバー挿入孔（３４）内に押動操作しながら前記握持部（３６）を回動することで前記レバー棒（３３）は前記支点ピン（２５）を軸に揺動し前記付勢機構（３０）に逆らって前記ソケット（２２）の前記ギア部（２３）に係合する。回動方向に力が加わっている間は、前記ソケット（２２）の前記ギア部（２３）と前記レバー棒（３３）の前記先端部（３５）には回転動を規制するよう応力が働いているため一度係合すると回動方向の力がかからなくなるまでは、回転方向を規制し続ける。また、反対方向に回動する際は、前記レバー棒（３３）に対して握持力を緩めることで係合部が離れ、前記ソケット（２２）を規制する力はなくなるため、前記ソケット（２２）は回動方向に相対しほとんど抵抗なく回転動するものである。
【産業上の利用可能性】
【０００９】
本発明は、主に足場単管のクランプの締め付け、緩め作業において有効に働く。
その理由は
・  足場単管のクランプのナットを締め付けるには、ある程度ソケットがロングサイズの方が、握時部を回動する際にヘッド部が障害物にあたりにくい為使いやすいが、従来の製品は、ラチェット機構を活かそうとして左右のソケットサイズを変えていた。しかし、足場単管用クランプの締め付け、緩め作業に特化した場合は、ソケットサイズを左右同一にすればラチェットレンチを裏表にして使用することで締め付け、緩め作業ができるため、単一方向スパナの方が適する。
・  足場単管の組立作業は、高所の場合が多いため、回転抵抗のほとんど無いボルトやナットに対しても、ソケットのラチェット機構が働く本発明のラチェットレンチは片手で作業できるため、持ち替える必要がなく落下の危険が少ないので安全である。
・  ハンドルの握持部側を先曲がりシノにすることで、ハンドルを握っただけで回転の規制方向が判断できる。尚、レンチ本体の回転面に対して表裏の色を変えることで視覚的にも回転の規制方向が判断できるため、より迅速な作業ができる。
さらに、機構が簡単で製造コストがかからないという、利点がある。
【図面の簡単な説明】
【００１０】
【図１】本発明、請求項１の構造図（正面図）
【図２】本発明、請求項１の側面図
【図３】本発明、請求項２の構造図（正面図）
【図４】本発明、請求項２の側面図
【符号の説明】
【００１１】
１    ヘッド部
２    ソケット
３    ギア部
４    ハンドル部
５    支点ピン  
６    貫通孔
７    硬球
８    弾性体
９    固定ネジ
１０  付勢機構
１３  先端部
１４  握持部
２１  ヘッド部
２２  ソケット
２３  ギア部
２４  レバー部
２５  支点ピン
２６  貫通孔
２７  硬球
２８  弾性体
２９  固定ネジ
３０  付勢機構
３３  レバー棒  
３４  レバー挿入孔
３５  先端部
３６  握持部
【図１】
2009095946.tif 000003
【図２】
2009095946.tif 000004
【図３】
2009095946.tif 000005
【図４】
2009095946.tif 000006